(57)【特許請求の範囲】
【請求項１】
少なくとも一部がセルロース繊維を主成分とした紙質層で構成され、かつ該紙層に熱可撓性トナーよりなる疎水性画像を形成している画像保持支持体上に、水を含有する剥離液を含浸させ、前記剥離液の含浸状態で前記疎水性画像を紙質層から画像剥離手段により剥離する画像保持支持体の再生方法において、該剥離液が少なくとも１種のシリコーン系界面活性剤を含有するものであることを特徴とする画像保持支持体の再生方法。
【請求項２】
シリコーン系界面活性剤の疎水基がメチルシロキサンからなり、親水基がポリアルキレンオキシドおよび／またはカルボキシル基である請求項１記載の画像保持支持体の再生方法。
【請求項３】
シリコーン系界面活性剤が下記一般式（１）、（２）、（３）、（４）、（５）および（６）で示されるシリコーン化合物よりなる群から選ばれた少なくとも１つのものである請求項１記載の画像保持支持体の再生方法。
【化１】
0003543013.tif 000008
（Ｒは水素または低級アルキル基、ｍはｍ＞１の整数、ｎはｎ＞１の整数、ａはａ≧０でｂと同時に０にならない整数、ｂはｂ≧０でａと同時に０にならない整数、ｘは１〜６の整数）
【化２】
0003543013.tif 000009
（Ｒは水素または低級アルキル基、ｎは正の整数、ａはａ≧０でｂと同時に０にならない整数、ｂはｂ≧０でａと同時に０にならない整数、ｘは１〜６の整数）
【化３】
0003543013.tif 000010
（Ｒは水素または低級アルキル基、ｎは正の整数、ａはａ≧０でｂと同時に０にならない整数、ｂはｂ≧０でａと同時に０にならない整数、ｘは１〜６の整数）
【化４】
0003543013.tif 000011
（Ｒは水素または低級アルキル基、ｎは正の整数、ａはａ≧０でｂと同時に０にならない整数、ｂはｂ≧０でａと同時に０にならない整数、ｘは１〜６の整数）
【化５】
0003543013.tif 000012
（Ｒ2、Ｒ3はポリアルキレンオキシドまたはアルキル基、ｎは正の整数）
【化６】
0003543013.tif 000013
（Ｒ2、Ｒ3、Ｒ4はポリアルキレンオキシドまたはアルキル基、ｍはｍ＞１の整数、ｎはｎ＞１の整数）
【請求項４】
シリコーン系界面活性剤の濃度が０．０１〜２０重量％である請求項１記載の画像保持支持体の再生方法。
【請求項５】
剥離液が水溶性高分子を含むものである請求項１記載の画像保持支持体の再生方法。
【請求項６】
シリコーン系界面活性剤および水を含有し、かつ少なくとも一部がセルロース繊維を主成分とした紙質層で構成され、かつ該紙質層に熱可撓性トナーよりなる疎水性画像を形成している画像保持支持体の画像剥離に使用する画像剥離液。
【請求項７】
シリコーン系界面活性剤が、疎水基がメチルシロキサンからなり、親水基がポリアルキレンオキシドおよび／またはカルボキシル基である請求項６記載の画像剥離液。
【請求項８】
シリコーン系界面活性剤が、前記一般式（１）、（２）、（３）、（４）、（５）および（６）で示されるシリコーン化合物よりなる群から選ばれた１つのものである請求項６記載の画像剥離液。
【請求項９】
シリコーン系界面活性剤の濃度が、０．０１〜２０重量％である請求項６記載の画像剥離液。
【請求項１０】
水溶性有機化合物を含むものである請求項６記載の画像剥離液。
【発明の詳細な説明】
【０００１】
【技術分野】
本発明は、紙層に熱可撓性トナーよりなる画像を形成した画像保持支持体からの再生画像支持体、特に再生、再利用が可能な画像支持用紙、その再生方法および該再生方法に使用する画像剥離液に関する。
【０００２】
【従来技術】
最近のＯＡ化により、プリンター用紙や複写用紙が大量に使用されるようになってきた。そのために、森林の伐採による地球環境の悪化の問題まで引き起こすようになってしまった。従来、この問題に対しては、一度使用した用紙のインキ等を取り除き、漬して再びすいて、再生古紙として利用するしか方法がなかった。しかし最近、一度使用した紙の上の文字画像をクリーニングにより取り去り、複写あるいはプリンティングに再利用することができる紙が開発されている。例えば特開平４−６７０４３号公報にシート状支持体の表面、特に片面のみに離型処理してなり、かつ、該離型処理した支持体に印を付け、普通紙と区別したものが開示されている。しかしながら、これは特殊紙で定着性に難がある等の問題があり一般の複写用紙として使用するには問題がある。また、特開平１−１０１５７６号公報、特開平１−１０１５７７号公報には画像形成支持体上のトナーをこれを溶解する有機溶媒中で超音波処理することにより画像を除去することが開示されているが、有機溶剤による公害や引火および毒性に問題があり、一般のオフィスや家庭で使用するには問題がある。
特開平１−２９７２９４号公報には画像形成支持体として、プラスチック、金属、液浸透性の悪い紙あるいはセラミックス等で形成されたものを使用し、該支持体上に形成された画像を熱溶融性の剥離体を介在させて加熱し、画像を支持体から剥離するクリーニング方法が開示されているが、表面に離型処理を施した特別な用紙を用いなければならない。
そこで本出願人は先に特殊な用紙をもちいることなく通常の複写機で得られるトナー画像を水を含有する剥離液に浸漬し、画像を剥離する剥離体（転写体）とともに加熱し消去することで再利用可能な複写及びプリンティング用紙を提案した。
しかしながら画像定着時に用いられるシリコーンオイルの存在によると考えられる再生不良を起こす場合があった。
【０００３】
【目的】
本発明の目的は、トナー画像、特にシリコーン定着のトナー画像の剥離性を向上した剥離液を用いた再生不良の改善された画像保持支持体の再生方法および該再生方法に使用する画像剥離液を提供することにある。
【０００４】
【構成】
本発明は、電子写真方式の複写機で画像支持体上に形成されたトナー画像を消去し、画像支持体を再利用可能とする画像保持支持体の再生方法に関し、特にシリコーンオイルを用いた定着器を使用して形成したトナー画像を、該トナー画像に対して剥離性の優れた剥離液を用いて該トナー画像の剥離を行うことを特徴とする画像保持支持体の再生方法に関する。
本出願人は界面活性剤および／または水溶性高分子を含有した水溶液からなる剥離液によりセルロース繊維を主成分とする画像保持支持体より可撓性トナーを除去し再生利用する方法を提案しているが、該方法において、特に界面活性剤としてシリコーン系界面活性剤を用いることにより画像支持体の再生不良を改善できることを見出した。
本発明は、少なくとも一部がセルロース繊維を主成分とした紙質層で構成され、かつ該紙層に熱可撓性トナーよりなる疎水性画像を形成している画像支持体に、水を含有する剥離液を含浸させた後、該画像支持体と画像剥離体とを加熱接着させ、または加圧接着することにより、前記画像を支持体より剥離することを特徴とする。
本発明の画像支持体としては、少なくとも一部分がセルロース繊維を主成分とした紙質層で構成されたものであり、主に複写あるいはプリンティング用紙があげられるが、これらのものに限定されるものではなく該支持体上に画像を保持するものであれば良い。また、該支持体の構成も全て紙層で構成される必要はなく、熱可撓性トナーによる画像が保持される層が紙質層であればよく、例えば紙層とプラスチック層の積層物のようなものであってもよい。
一般に、紙は水溶液で湿ると、いわゆる腰が弱くなる。このとき、紙層に保持されている疎水性の熱溶融性トナーと紙層との接着性は非常に弱いものとなっている。
それ故、本発明の方法によると、紙層が弱いもので構成されている画像保持支持体であってもそれを採用することにより、画像支持体より画像は簡単に、紙層を傷めることなく除去できることになる。
本発明の方法によると、例えば複写コピーあるいはプリントアウトした画像支持体を簡単に再生することができるので、一度使用した紙を捨てることなく繰り返して使用でき、紙の消費量を減少させることができる。
【０００５】
本発明においては、特に画像定着時に使用されるシリコーンオイルによると考えられる画像支持体の再生不良を改良できる。これは、シリコーンオイルの構造と本発明で使用するシリコーン系界面活性剤の構造の親和性が高いため、シリコーン系界面活性剤以外の種類の界面活性剤に比較してはじきが発生しにくいためと考えられる。特にシリコーン系界面活性剤の疎水基のポリメチルシロキサン構造は、シリコーンオイルの構造と親和性が高いため、疎水基の中でもはじきが発生しにくい。また、シリコーン系界面活性剤の親水基としては、アミノ基、水酸基、ポリアルキレンオキシド、カルボキシル基等が挙げられるが、水溶性の高さの理由でポリアルキレンオキシド、カルボキシル基が親水基として好ましい。
したがって、シリコーン系界面活性剤としては、疎水基としてポリメチルシロキサン構造のもの、および親水基としてポリアルキレンオキシド、カルボキシル基を有するものが好ましい。さらに加えて水溶液の物性の安定性が高い等の理由から、下記一般式（１）、（２）、（３）、（４）、（５）および（６）よりなる群から選ばれた少なくとも１つのシリコーン化合物がより好ましい。そして、該式（１）、（２）、（３）、（４）、（５）および（６）におけるｍ、ｎ、ｘ、ａおよびｂも前記のような各観点から特定されたものである。
【化７】
0003543013.tif 000002
（Ｒは水素または低級アルキル基、ｍはｍ＞１の整数、ｎはｎ＞１の整数、ａはａ≧０でｂと同時に０にならない整数、ｂはｂ≧０でａと同時に０にならない整数、ｘは１〜６の整数）
【化８】
0003543013.tif 000003
（Ｒは水素または低級アルキル基、ｎは正の整数、ａはａ≧０でｂと同時に０にならない整数、ｂはｂ≧０でａと同時に０にならない整数、ｘは１〜６の整数）
【化９】
0003543013.tif 000004
（Ｒは水素または低級アルキル基、ｎは正の整数、ａはａ≧０でｂと同時に０にならない整数、ｂはｂ≧０でａと同時に０にならない整数、ｘは１〜６の整数）
【化１０】
0003543013.tif 000005
（Ｒは水素または低級アルキル基、ｎは正の整数、ａはａ≧０でｂと同時に０にならない整数、ｂはｂ≧０でａと同時に０にならない整数、ｘは１〜６の整数）
【化１１】
0003543013.tif 000006
（Ｒ2、Ｒ3はポリアルキレンオキシドまたはアルキル基、ｎは正の整数）
【化１２】
0003543013.tif 000007
（Ｒ2、Ｒ3、Ｒ4はポリアルキレンオキシドまたはアルキル基、ｍはｍ＞１の整数、ｎはｎ＞１の整数）
これらシリコーン系界面活性剤としては一般式（１）のものは東レダウコーニング社製ＳＨ３７４６、ＳＨ３７７１（商品名）等、日本ユニカー製ＦＺ２１６１、ＦＺ２１６２（商品名）等、東芝シリコーン製ＴＳＦ４４５２（商品名）等が入手できる。一般式（２）のものとしては東レダウコーニング社製ＳＦ８４２７（商品名）等があげられる。一般式（３）のものとしては東レダウコーニング社製ＢＹ１６−７５０（商品名）等、東芝シリコーン製ＴＳＦ４７７０（商品名）が挙げられる。また一般式（４）のものとしては東レダウコーニング社製ＳＦ８４１８（商品名）等、東芝シリコーン製ＴＳＦ４７７１等（商品名）が挙げられる。前記シリコーン系界面活性剤としては、特に一般式（１）の構造のものが好ましい。
これら界面活性剤の添加量は０．０１〜２０重量％、好ましくは０．１〜５重量％の範囲、さらに好ましくは０．３〜２重量％の範囲で添加される。また他の界面活性剤と混合して用いることもできる。
【０００６】
他の界面活性剤としては好ましくは水に対する分散または溶解安定性の高いものを添加することが好ましい。具体的には陰イオン界面活性剤としては、石鹸、Ｎ−アシルアミノ酸塩、アルキルエーテル酢酸塩、アシル化ペプチド等のカルボン酸塩、アルキルスルホン酸塩、アルキルベンゼンスルホン酸塩、アルキルナフタレンスルホン酸塩、スルホ琥珀酸塩、α−オレフィンスルホン酸塩、Ｎ−アシルスルホン酸塩等のスルホン酸塩、硫酸化油、アルキル硫酸塩、アルキルエーテル硫酸塩、アルキルアミド硫酸塩等の硫酸エステル塩、アルキルリン酸塩、アルキルエーテルリン酸塩、アルキルアリールリン酸塩等のリン酸エステル塩が挙げられる。
陽イオン界面活性剤としては、脂肪族アミン塩、アルキル第４級アンモニウム塩、芳香族第４級アンモニウム塩、複素環第４級アンモニウム塩等が挙げられる。
両性界面活性剤としては、カルボキシベタイン、スルホベタイン等のベタイン型、アミノカルボン酸塩、イミダゾリン誘導体等が挙げられる。
非イオン性界面活性剤としては、ポリオキシエチレンアルキル及びアリールエーテル、ポリオキシエチレンスチロールエーテル、ポリオキシエチレンラノリン誘導体、アルキルアリルホルムアルデヒド縮合物の酸化エチレン誘導体、ポリオキシエチレンポリオキシプロピレンブロック共重合体、ポリオキシエチレンポリオキシプロピレンアルキルエーテル等のエーテル系、ポリオキシエチレングリセリン脂肪酸エステル、ポリオキシエチレンソルビタン脂肪酸エステル、ポリオキシエチレンソルビトール脂肪酸エステル等のエーテルエステル系、ポリエチレングリコール脂肪酸エステル、脂肪酸モノグリセリド、ポリグリセリン脂肪酸エステル、ソルビタン脂肪酸エステル、プロピレングリコール脂肪酸エステル、しょ糖脂肪酸エステル等のエステル系、脂肪族アルカノールアミド、ポリオキシエチレン脂肪酸アミド、ポリオキシエチレンアルキルアミン、アルキルアミンオキサイド等の含窒素系が挙げられる。
シリコーン系界面活性剤と併用するフッ素系界面活性剤としては、フロロアルキルカルボン酸塩、フロロアルキルスルホン酸塩等のアニオン系、フロロアルキル導入ベタイン等の両性系、ノニオン系、カチオン系等が挙げられる。
前記各界面活性剤の添加量は、シリコーン系界面活性剤の効果を妨げないように０．０１〜１０重量％の範囲で添加される。
剥離液には界面活性剤とともに剥離特性および再生状態を改良する目的で水溶性高分子の添加を行うことが好ましい。剥離液中に添加できる水溶性高分子としては天然系では、アラビアガム、トラガントガム、グーアガム、カラヤガム、ローカストビーンガム、アラビノガラクトン、ペクチン、クインスシードデンプン、トロロアオイ等の植物性高分子、アルギン酸、カラギーナン、寒天、ふのり等の海藻系高分子、ゼラチン、カゼイン、アルブミン、コラーゲン、にかわ等の動物性高分子、キサンテンガム、デキストラン、レバン等の微生物系高分子、半合成系では、メチルセルロース、エチルセルロース、ヒドロキシエチルセルロース、ヒドロキシプロピルセルロース、カルボキシメチルセルロース、ビスコース等の繊維素系高分子、可溶性デンプン、カルボキシメチルデンプン（ＣＭＳ）、ジアルデヒドデンプン、デンプングリコール酸ナトリウム、デンプンリン酸エステルナトリウム等のデンプン系高分子、アルギン酸ナトリウム、アルギン酸プロピレングリコールエステル等の海藻系高分子、純合成系では、ポリビニルアルコール、ポリビニルピロリドン、ポリビニルメチルエーテル等のビニル系高分子、非架橋ポリアクリルアミド、ポリアクリル酸及びそのアルカリ金属塩、水溶性スチレンアクリル樹脂等のアクリル系樹脂、水溶性スチレンマレイン酸樹脂、水溶性ビニルナフタレンアクリル樹脂、水溶性ビニルナフタレンマレイン酸樹脂、ポリビニルピロリドン、ポリビニルアルコール、β−ナフタレンスルホン酸ホルマリン縮合物のアルカリ金属塩、四級アンモニウムやアミノ基等のカチオン性官能基の塩を側鎖に有する高分子化合物、セラック等の天然高分子化合物等が挙げられる。これら水溶性高分子の添加量は、剥離液を付与する方法により異なるが、０．１〜２０重量％、好ましくは０．１〜１０重量％の範囲で添加される。
本発明においては、画像保持支持体に水および界面活性剤を含む状態で、水溶性ポリマーを保持させることにより、熱可撓性トナーの剥離体を形成することができ、水溶性ポリマーは、前記画像剥離体と接触できないセルロース繊維内部の熱可撓性トナー画像に対して、セルロース繊維／熱可撓性トナー画像／水溶性ポリマー／剥離体の如く接触することができ、その粘着力によって熱可撓性トナー画像を、紙質を傷めることなく剥離することができる。
その他の剥離液に添加されるものとしては、ｐＨ調整剤として、調合される剥離液に悪影響をおよぼさずにｐＨを７以上に調整できるものであれば、任意の物質を任意の量で使用することができる。
その例として、ジエタノールアミン、トリエタノールアミン等のアミン、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩等が挙げられる。
重金属イオンの封止剤で剥離助剤として添加されるキレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等がある。
防腐防黴剤としては、デヒドロ酢酸ナトリウム、ソルビン酸ナトリウム、２−ピリジンチオール−オキサイドナトリウム、安息香酸ナトリウム、ペンタクロロフェノールナトリウム等が本発明に使用できる。
また再生後の画像支持体の白色度を向上する目的で漂白剤を添加することができる。具体的には酸化漂白剤として過酸化水素、過酸化ナトリウム、過炭酸ナトリウム、次亜塩素酸ナトリウム等が挙げられる。蛍光染料、青味付け染料、酵素等を添加することもできる。
前記画像剥離液の画像形成材料（トナー）に対する接触角は、好ましくは９０°以下、さらに好ましくは５０°以下である。また、その表面張力は７０ｍＮ／ｍ（ｄｙｎｅ／ｃｍ）以下、さらに好ましくは５０ｍＮ／ｍである。
【０００７】
前記画像剥離液の画像支持体に対する浸透速度は、ｔ（水を含む液体と画像支持体との接触時間）＝０．４秒において１０ｍｌ／ｍ２以上、好ましくは１２ｍｌ／ｍ２以上である。
前記のような画像剥離液を含浸させた画像保持支持体と画像転写体を加圧、加熱あるいは加圧加熱接触させることにより画像を画像保持支持体より剥離する。  画像転写体の形状としては、ベルト状、ロール状のいずれのものでもよく、その材質として種々のポリマーあるいはアルミニウム、ニッケル等の金属が挙げられる。前記ポリマーは水溶性のものであっても、あるいは非水溶性のものであってもよい。例えば、具体的には以下のようなものが挙げられる。
（１）熱溶融性トナー成分の樹脂
ポリスチレン、アクリル樹脂、メタクリル樹脂、スチレン−ブチルアクリル共重合体、スチレン−ブタジエン共重合体、ポリエステル、エポキシ樹脂など。
（２）接着剤の成分樹脂
にかわ、ゼラチン、アルブミン、カゼインなどのタンパク質系接着剤。でんぷん系、セルロース系、複合多糖類系（アラビアゴム、トラガントゴムなど）などの炭水化物系接着剤。酢酸ビニルの重合体及び共重合体、アクリル系、エチレン共重合物、ポリアミド、ポリエステル、ポリウレタンなどの熱可塑性接着剤。ポリクロロプレン系、ニトリルゴム系、再生ゴム系、ＳＢＲ系、天然ゴム系などのゴム系接着剤。ゴム系、アクリル系などの感圧接着剤。
前記の画像剥離体を形成するポリマーは、それ自体でシート、ベルト、テープ等のシート状の形状あるいはローラ状の形状に形成して用いることもできるし、他のシート状支持体あるいはローラ状支持体等の表面に担持させて用いても良い。他のシート状支持体上に転写層を設けた画像剥離体の例としては、セロハンテープ、クラフト紙テープ、ポリ塩化ビニールテープ、アセテートテープ、フィラメントテープ等のテープ状支持体上に接着剤層、例えばゴム系、アクリル系などの感圧接着剤層を設けた接着テープ等が挙げられる。前記画像転写層が形成される支持体は、その表面がポーラスな、あるいは凹凸を有する材料で形成されるか、あるいは該支持体表面を凹凸加工、マット加工したものが好ましい。また、シート、ベルト、テープ等の転写体は、ロール状に巻き、ロール状物より巻き出して使用することもできる。
【０００８】
本発明に用いられる装置の１例を図１に示す。可撓性トナーにより形成された画像を有する画像保持支持体を供給する給紙トレイ１から給紙ローラ２よりガイド板３を通して搬送ローラ４で剥離ローラ５に導く。該剥離ローラ５の表面に給液ローラ６により剥離液７が塗布され、前記搬送ローラ４から搬送されてきた画像保持支持体に剥離液７が塗布含浸される。剥離液７が塗布含浸され、剥離体と接触している画像保持支持体を加熱ローラ８で加熱圧接したのち、分離爪９で剥離体と画像支持体とが分離される。分離された剥離体はトナークリーニング部１０で剥離ローラ５の表面からクリーニングされて、再び剥離ローラ５の表面からクリーニングされて、再び剥離ローラ５の表面に剥離液が塗布される。
また前記装置において、剥離ローラ５に隣接して、剥離ローラ５の熱可撓性トナーを再転写可能な少なくとも１個のヒートローラを設け、該ヒートローラの少なくとも１個に、該ローラ上に再転写された熱可撓性トナーを掻き取ることができるブレードを設け、該ブレードにより熱可撓性トナーを掻き取ることにより、剥離ローラ５をクリーニングすることができる。
一方、分離爪９で分離された画像保持支持体の画像は消去され、搬送ローラ１１によって、乾燥ベルト１２上に導かれ、乾燥される。乾燥された無画像の画像支持体は搬送ローラ１１によって、排紙トレイ１３に排出されて、再複写・再印字可能な画像支持体が得られる。
次に本発明の実施例を具体的に示す。
【０００９】
【実施例】
実施例１
下記処方にて剥離液Ａを作製した。
シリコーン系界面活性剤                                    １％
（ＳＨ３７４６，東レダウコーニング製，商品名）
安息香酸Ｎａ                                          ０．１％
純水                                                  残量
スチレンアクリル系樹脂を主成分としたトナーを用い、電子写真方式の複写機により市販上質紙に画像を形成し、これを上記剥離液で浸漬しＰＥＴからなる転写体に加熱圧接し、図１に示された装置にて画像を消去した。トナーの残像は認められなかった。また前記の複写機にて再使用したところ、綺麗な複写画像を得ることができた。
同様にして実施例２〜７および比較例１〜５について画像支持体の再生の状態を調べた。
【００１０】
実施例２
下記処方にて剥離液Ｂを作製した。
シリコーン系界面活性剤                                    ２％
（ＦＺ２１６２，日本ユニカー製，商品名）
デヒドロ酢酸Ｎａ                                      ０．１％
純水                                                  残量
実施例１と同様にしてタイプ６２００紙上の画像消去を行ったところ白色度が高く、また再複写可能であった。
【００１１】
実施例３
下記処方にて剥離液Ｃを作製した。
シリコーン系界面活性剤                                ０．２％
（ＳＦ８４２７，東レダウコーニング製，商品名）
ポリオキシエチレンアルキルエーテル系界面活性剤        ０．５％
（ソフタノール７０，日本触媒製，商品名）
安息香酸Ｎａ                                          ０．１％
純水                                                  残量
実施例１と同様にしてタイプ６２００紙上の画像消去を行ったところトナー残像がなく、また再複写可能であった。
【００１２】
実施例４
下記処方にて剥離液Ｄを作製した。
シリコーン系界面活性剤                                ０．３％
（ＴＳＦ４７７０，東芝シリコーン製，商品名）
ポリオキシエチレンアルキルエーテル系界面活性剤        ０．５％
（ソフタノール１２０，日本触媒製，商品名）
２−ピリジンチオール−１−オキサイドＮａ              ０．１％
純水                                                  残量
実施例１と同様にしてタイプ６２００紙上の画像消去を行ったところトナー残像がなく再利用可能であった。
【００１３】
実施例５
下記処方にて剥離液Ｅを作製した。
シリコーン系界面活性剤                                    ０．４％
（ＴＳＦ４７７１，東芝シリコーン製，商品名）
ポリオキシエチレンアルキルエーテルカルボン酸アニオン系界面活性剤
（ＥＣＴＤ３ＮＥＸ，日光ケミカルズ製，商品名）            ０．５％
過炭酸ナトリウム                                          ０．１％
安息香酸Ｎａ                                              ０．１％
純水                                                      残量
実施例１と同様にしてタイプ６２００紙上の画像消去を行ったところトナー残像がなく再利用可能であった。
【００１４】
実施例６
下記処方にて剥離液Ｆを作製した。
シリコーン系界面活性剤                                    １％
（ＳＨ３７４６，東レダウコーニング製，商品名）
ポリビニルアルコール                                  ０．５％
安息香酸Ｎａ                                          ０．１％
純水                                                  残量
実施例１と同様にしてタイプ６２００紙上の画像消去を行ったところトナー残像がなく、また再複写可能であった。
【００１５】
実施例７
下記処方にて剥離液Ｇを作製した。
シリコーン系界面活性剤                                ０．５％
（ＦＺ３７７１，東レダウコーニング製，商品名）
ポリオキシエチレンアルキルエーテル系界面活性剤        ０．５％
（ソフタノール１２０，日本触媒製，商品名）
安息香酸Ｎａ                                          ０．１％
ＣＭＣ                                                ０．２％
残量                                                  水
実施例１と同様にしてタイプ６２００紙上の画像消去を行ったところトナー残像がなく、また再複写可能であった。
【００１６】
比較例１
実施例１の剥離液ＡのＳＨ３７４６を除きポリオキシエチレンアルキルエーテル系界面活性剤（ＢＴ５，日光ケミカル製，商品名）に変えた以外は同様にして剥離液Ｈとして同様にしてタイプ６２００紙上の画像消去を行なったところトナー画像の残像が認められた。
【００１７】
比較例２
実施例２の剥離液ＢのＦＺ２５４２を除きソフタノール３００に変えた以外は同様にして剥離液Ｉとして同様にしてタイプ６２００紙上の画像消去を行なったところトナー画像の残像が認められた。
【００１８】
比較例３
実施例３の剥離液ＣのＳＦ８４２７を除いた以外は同様にして剥離液Ｊとして同様にしてタイプ６２００紙上の画像消去を行なったところトナー画像の残像が認められた。
【００１９】
比較例４
実施例４の剥離液ＤのＴＳＦ４７７０を除いた以外は同様にして剥離液Ｋとして同様にしてタイプ６２００紙上の画像の消去を行なったところトナー画像の残像が認められた。
【００２０】
比較例５
実施例５の剥離液ＥのＴＳＦ４７７１を除いた以外は同様にして剥離液Ｌとしてタイプ６２００紙上の画像の消去を行なったところトナー画像の残像が認められた。
【００２１】
【効果】
本発明によると複写機およびプリンターにより形成された可撓性トナー画像を紙表面を損傷することなく消去する再生方法において、定着時に付着するシリコーンオイルによる再生劣化を改善し白色度を高め、再複写および再印字を良好にすることができ、紙の消費を低減する効果をさらに高めることができる。
【図面の簡単な説明】
【図１】本発明の画像保持支持体の再生方法で使用する装置の１例を示す図である。
【符号の説明】
１  給紙トレイ
２  給紙ローラ
３  ガイド板
４  搬送ローラ
５  剥離ローラ
６  給液ローラ
７  剥離液
８  加熱ローラ
９  分離爪
１０  トナークリーニング部
１１  搬送ローラ
１２  乾燥ベルト
１３  排紙トレイ
１４  搬送リブ
１５  回収熱可撓性トナーの回収容器
【図１】
0003543013.tif 000014